(57)【要約】【課題】  換気効率を向上させつつ美観を維持することが可能な照明装置を提供すること。【解決手段】  ｘ方向を長手方向とする主板部２１および当該主板部２１のｙ方向両側に位置し且つｚ方向における一方側に延出する一対の側板部２２を有するケース２と、当該ケース２に収容されたＬＥＤ５２と、を有するＬＥＤユニットＢ１と、ケース２の主板部２１に対してｚ方向他方側に位置する天板部１１を有し、ＬＥＤユニットＢ１を支持する支持体１と、を備える照明装置Ａ１であって、支持体１の天板部１１には、ｚ方向視においてＬＥＤユニットＢ１と重なる開口１１１が設けられており、ケース２の一対の側板部２２は、ｚ方向における他方側に向かうほどｙ方向における互いの距離が大となるように傾斜している。【選択図】  図１０
2020047538.tif 000002
【特許請求の範囲】
【請求項１】
第１方向を長手方向とする主板部および当該主板部の前記第１方向と直角である第２方向両側に位置し且つ前記第１方向および前記第２方向に直角である第３方向における一方側に延出する一対の側板部を有するケースと、当該ケースに収容されたＬＥＤと、を有するＬＥＤユニットと、
前記ケースの前記主板部に対して前記第３方向他方側に位置する天板部を有し、前記ＬＥＤユニットを支持する支持体と、を備える照明装置であって、
前記支持体の前記天板部には、前記第３方向視において前記ＬＥＤユニットと重なる開口が設けられており、
前記ケースの前記一対の側板部は、前記第３方向における前記他方側に向かうほど前記第２方向における互いの距離が大となるように傾斜していることを特徴とする、照明装置。
【請求項２】
前記ＬＥＤユニットは、前記ＬＥＤに電力を供給するための電源部を有しており、
前記電源部は、前記第３方向視において前記開口に内包されている、請求項１に記載の照明装置。
【請求項３】
前記支持体は、前記支持体の前記天板部の前記第２方向両側に位置し且つ前記第１方向に延びる一対の第１側板部と、前記支持体の前記天板部の前記第１方向両側に位置し且つ前記第２方向に延びる一対の第２側板部と、を有しており、
前記ＬＥＤユニットを前記第２側板部に取り付ける取付部材を備える、請求項１または２に記載の照明装置。
【請求項４】
前記取付部材は、前記第３方向他方側において前記第１方向に延出する係止部を有しており、
前記支持体には、前記第２方向に沿って移動してきた前記取付部材の前記係止部の侵入を許容し且つ収容する収容部が形成されている、請求項３に記載の照明装置。
【請求項５】
前記ＬＥＤユニットは、前記ＬＥＤの前記第２方向両側に位置し且つ前記第３方向における前記一方側に向かうほど前記第２方向における互いの距離が大となるように傾斜した一対の側板部を含むリフレクタを有する、請求項１ないし４のいずれかに記載の照明装置。
【請求項６】
前記支持体は、前記第１方向および前記第２方向に沿って延びる複数のバーを含む枠状構造体の前記バーの前記第３方向他方側部分に係合する設置部材および前記バーに前記第３方向他方側から接する突起部材を有する、請求項１ないし５のいずれかに記載の照明装置。
【請求項７】
前記ＬＥＤユニットは、前記ＬＥＤに対して前記第３方向一方側に位置し且つ前記ＬＥＤからの光を透過させるカバーと、前記ケースの前記第１方向両側を塞ぐ一対のエンドプレートと、を有し、
前記ケースは、前記カバーに対して前記第１方向外側に位置し且つ前記第３方向に延びる舌部を有しており、
前記エンドプレートは、前記舌部と係合する挟持部を有する、請求項１ないし６のいずれかに記載の照明装置。
【発明の詳細な説明】
【技術分野】
【０００１】
本発明は、照明装置に関する。
【背景技術】
【０００２】
住宅等の建造物内の照明装置として、ＬＥＤを光源として用いた照明装置が広く用いられている。特許文献１には、従来の照明装置の一例が開示されている。この照明装置は、たとえば建造物の天井の構造体に取り付けられて、天井から床面等に向けて光を発する。この照明装置は、ＬＥＤを有するＬＥＤユニットと、当該ＬＥＤユニットを支持する支持体を備えている。支持体は、ＬＥＤユニットに対して天側に位置する天板部を有する。この天板部には、支持体内の換気効率を向上させるための開口が設けられている。
【先行技術文献】
【特許文献】
【０００３】
【特許文献１】特開２０１７−２７７９１号公報
【発明の概要】
【発明が解決しようとする課題】
【０００４】
支持体内の換気効率を向上させる観点からは、より大きな開口を設けることが好ましい。しかしながら、開口を大きくするほど、床面側から開口が見えてしまい、照明装置の美観を損なうおそれがある。
【０００５】
本発明は、上記した事情のもとで考え出されたものであって、換気効率を向上させつつ美観を維持することが可能な照明装置を提供することをその課題とする。
【課題を解決するための手段】
【０００６】
本発明によって提供される照明装置は、第１方向を長手方向とする主板部および当該主板部の前記第１方向と直角である第２方向両側に位置し且つ前記第１方向および前記第２方向に直角である第３方向における一方側に延出する一対の側板部を有するケースと、当該ケースに収容されたＬＥＤと、を有するＬＥＤユニットと、前記ケースの前記主板部に対して前記第３方向他方側に位置する天板部を有し、前記ＬＥＤユニットを支持する支持体と、を備える照明装置であって、前記支持体の前記天板部には、前記第３方向視において前記ＬＥＤユニットと重なる開口が設けられており、前記ケースの前記一対の側板部は、前記第３方向における前記他方側に向かうほど前記第２方向における互いの距離が大となるように傾斜していることを特徴としている。
【０００７】
本発明の好ましい実施の形態においては、前記ＬＥＤユニットは、前記ＬＥＤに電力を供給するための電源部を有しており、前記電源部は、前記第３方向視において前記開口に内包されている。
【０００８】
本発明の好ましい実施の形態においては、前記支持体は、前記支持体の前記天板部の前記第２方向両側に位置し且つ前記第１方向に延びる一対の第１側板部と、前記支持体の前記天板部の前記第１方向両側に位置し且つ前記第２方向に延びる一対の第２側板部と、を有しており、前記ＬＥＤユニットを前記第２側板部に取り付ける取付部材を備える。
【０００９】
本発明の好ましい実施の形態においては、前記取付部材は、前記第３方向他方側において前記第１方向に延出する係止部を有しており、前記支持体には、前記第２方向に沿って移動してきた前記取付部材の前記係止部の進入を許容し且つ収容する収容部が形成されている。
【００１０】
本発明の好ましい実施の形態においては、前記ＬＥＤユニットは、前記ＬＥＤの前記第２方向両側に位置し且つ前記第３方向における前記一方側に向かうほど前記第２方向における互いの距離が大となるように傾斜した一対の側板部を含むリフレクタを有する。
【００１１】
本発明の好ましい実施の形態においては、前記支持体は、前記第１方向および前記第２方向に沿って延びる複数のバーを含む枠状構造体の前記バーの前記第３方向他方側部分に係合する設置部材および前記バーに前記第３方向他方側から接する突起部材を有する。
【００１２】
本発明の好ましい実施の形態においては、前記ＬＥＤユニットは、前記ＬＥＤに対して前記第３方向一方側に位置し且つ前記ＬＥＤからの光を透過させるカバーと、前記ケースの前記第１方向両側を塞ぐ一対のエンドプレートと、を有し、前記ケースは、前記カバーに対して前記第１方向外側に位置し且つ前記第３方向に延びる舌部を有しており、前記エンドプレートは、前記舌部と係合する挟持部を有する。
【発明の効果】
【００１３】
本発明によれば、換気効率を向上させつつ美観を維持することができる。
【００１４】
本発明のその他の特徴および利点は、添付図面を参照して以下に行う詳細な説明によって、より明らかとなろう。
【図面の簡単な説明】
【００１５】
【図１】本発明に係る照明装置の一例を示す斜視図である。
【図２】本発明に係る照明装置の一例を示す斜視図である。
【図３】本発明に係る照明装置の一例を示す平面図である。
【図４】本発明に係る照明装置の一例を示す底面図である。
【図５】本発明に係る照明装置の一例を示す正面図である。
【図６】本発明に係る照明装置の一例を示す側面図である。
【図７】図３のＶＩＩ−ＶＩＩ線に沿う断面図である。
【図８】図３のＶＩＩＩ−ＶＩＩＩ線に沿う要部拡大断面図である。
【図９】図３のＩＸ−ＩＸ線に沿う断面図である。
【図１０】図３のＩＸ−ＩＸ線に沿う要部拡大断面図である。
【図１１】本発明に係る照明装置の一例を示す分解斜視図である。
【図１２】本発明に係る照明装置の一例のＬＥＤユニットを示す斜視図である。
【図１３】本発明に係る照明装置の一例のＬＥＤユニットを示す斜視図である。
【図１４】本発明に係る照明装置の一例のＬＥＤユニットを示す平面図である。
【図１５】本発明に係る照明装置の一例のＬＥＤユニットを示す分解斜視図である。
【図１６】本発明に係る照明装置の一例を示す要部拡大断面斜視図である。
【図１７】本発明に係る照明装置の一例を示す要部拡大断面図である。
【図１８】本発明に係る照明装置の一例のＬＥＤユニットの取付部材を示す斜視図である。
【図１９】本発明に係る照明装置の一例のＬＥＤユニットを示す要部拡大分解斜視図である。
【図２０】本発明に係る照明装置の一例のＬＥＤユニットを示す要部拡大断面斜視図である。
【発明を実施するための形態】
【００１６】
以下、本発明の好ましい実施の形態につき、図面を参照して具体的に説明する。
【００１７】
本開示における「第１」、「第２」等の用語は、単にラベルとして用いたものであり、必ずしもそれらの対象物に順列を付することを意図していない。
【００１８】
＜第１実施形態＞
図１〜図２０は、本発明に係る照明装置の一例を示している。本実施形態の照明装置Ａ１は、支持体１および複数のＬＥＤユニットＢ１を備えている。なお、照明装置Ａ１が備えるＬＥＤユニットＢ１の個数は特に限定されず、１つでもよいし、複数でもよい。図示された例においては、照明装置Ａ１は、２つのＬＥＤユニットＢ１を備えている。照明装置Ａ１は、バーＳｘおよびバーＳｙを含む枠状構造体Ｓに取り付けられて用いられる。枠状構造体Ｓは、たとえば住宅等の建造物内の天井に含まれるものである。バーＳｘは、ｘ方向に延びており、たとえば金属からなる。バーＳｙは、ｙ方向に延びており、たとえば金属からなる。枠状構造体Ｓは、複数のバーＳｘとバーＳｙとが格子状に組み合わされた構成である。ただし、照明装置Ａ１が取り付けられる枠状構造体Ｓの構成は何ら限定されない。
【００１９】
図１は、照明装置Ａ１の一例を示す斜視図である。図２は、照明装置Ａ１の一例を示す斜視図である。図３は、照明装置Ａ１の一例を示す平面図である。図４は、照明装置Ａ１の一例を示す底面図である。図５は、照明装置Ａ１の一例を示す正面図である。図６は、照明装置Ａ１の一例を示す側面図である。図７は、図３のＶＩＩ−ＶＩＩ線に沿う断面図である。図８は、図３のＶＩＩＩ−ＶＩＩＩ線に沿う要部拡大断面図である。図９は、図３のＩＸ−ＩＸ線に沿う断面図である。図１０は、図３のＩＸ−ＩＸ線に沿う要部拡大断面図である。図１１は、照明装置Ａ１の一例を示す分解斜視図である。図１２は、照明装置Ａ１の一例のＬＥＤユニットＢ１を示す斜視図である。図１３は、照明装置Ａ１の一例のＬＥＤユニットＢ１を示す斜視図である。図１４は、照明装置Ａ１の一例のＬＥＤユニットＢ１を示す平面図である。図１５は、照明装置Ａ１の一例のＬＥＤユニットＢ１を示す分解斜視図である。図１６は、照明装置Ａ１の一例を示す要部拡大断面斜視図である。図１７は、照明装置Ａ１の一例を示す要部拡大断面図である。図１８は、照明装置Ａ１の一例のＬＥＤユニットＢ１の取付部材を示す斜視図である。図１９は、照明装置Ａ１の一例のＬＥＤユニットＢ１を示す要部拡大分解斜視図である。図２０は、照明装置Ａ１の一例のＬＥＤユニットＢ１を示す要部拡大断面斜視図である。なお、これらの図において、ｘ方向は、本発明の第１方向に相当する。ｙ方向は、本発明の第２方向に相当する。ｚ方向は、本発明の第３方向に相当する。また、ｚ方向における地側（図１および図２における図中下側）は、本発明の第３方向における一方側に相当し、ｚ方向における天側（図１および図２における図中上側）は、本発明の第３方向における他方側に相当する。また、以降の説明においては、ｚ方向における地側（一方側）を下側、天側（他方側）を上側と称する場合がある。
【００２０】
＜支持体１＞
支持体１は、ＬＥＤユニットＢ１を支持するものであり、照明装置Ａ１を枠状構造体Ｓに設置するために用いられる。図１〜図１１に示すように、本実施形態の支持体１は、天板部１１、一対の第１側板部１２、一対の第２側板部１３および一対の内側板部１４を有する。支持体１の材質は特に限定されず、たとえばＦｅ等を主材とする金属板によって形成されている。
【００２１】
天板部１１は、ｚ方向に対して略直角であり、ｘ方向およびｙ方向に沿って延びる部位である。天板部１１の具体的構造は、特に限定されず、全体が１つの部材によって構成されていてもよいし、複数の部材が組み合わされて構成されていてもよい。本実施形態の天板部１１は、２つの開口１１１および中間開口１１２を有する。中間開口１１２には、空気吹出口等の空調部品が取り付けられる。空調部品が必要ない場合は、遮蔽パネルが取り付けられる。
【００２２】
図１、図３および図９〜図１１に示すように、２つの開口１１１は、ｙ方向に互いに離間して設けられている。開口１１１の具体的形状は特に限定されず、本実施形態においては、ｘ方向に長く延びており、ｚ方向視において長矩形状である。開口１１１は、ｚ方向視においてＬＥＤユニットＢ１と重なる。本実施形態においては、開口１１１は、ｚ方向視においてその全体がＬＥＤユニットＢ１と重なっている。中間開口１１２は、２つの開口１１１の間に設けられている。中間開口１１２の具体的形状は特に限定されず、本実施形態においては、ｘ方向に長く延びており、ｚ方向視において長矩形状である。
【００２３】
一対の第１側板部１２は、天板部１１のｙ方向両側に位置しており、ｘ方向に延びている。図示された例においては、第１側板部１２は、略板状であり天板部１１のｙ方向両端に繋がっている。第１側板部１２は、ｘ方向を長手方向とし、ｚ方向を短手方向とする長矩形状である。
【００２４】
一対の第２側板部１３は、天板部１１のｘ方向両側に位置しており、ｙ方向に延びている。図示された例においては、第２側板部１３は、略板状であり天板部１１のｘ方向両端に繋がっている。第２側板部１３は、ｙ方向を長手方向とし、ｚ方向を短手方向とする長矩形状である。
【００２５】
一対の内側板部１４は、ｙ方向において一対の第１側板部１２の間に位置している。一対の第１側板部１２は、中間開口１１２のｙ方向両端を構成しており、ｘ方向に延びている。図示された例においては、内側板部１４は、略板状である。内側板部１４は、ｘ方向を長手方向とし、ｚ方向を短手方向とする長矩形状である。
【００２６】
また、本実施形態の支持体１は、図１６および図１７に示すように、複数の収容部１１３および複数の導入部１１４が形成されている。なお、図１６および図１７は、ｚ方向における天地が逆となるように示している。収容部１１３は、天板部１１のうち開口１１１のｘ方向両外側に設けられており、たとえば当該部分に切断加工および折り曲げ加工が施されることによって形成されている。収容部１１３は、天板部１１に対してｚ方向一方側に膨出しており、ｙ方向片側（図１７における図中右側）が開いている。収容部１１３は、後述の取付部材８１の係止部８１５がｙ方向に移動してきた際に、係止部８１５の進入を許容し且つ係止部８１５を収容する部位である。導入部１１４は、収容部１１３のｙ方向先端に繋がっており、ｙ方向において収容部１１３から離間するほどｚ方向において天板部１１から離間するように傾いている。導入部１１４は、係止部８１５をより容易に進入させるためのものである。本実施形態においては、開口１１１のｘ方向片側に２つずつの収容部１１３および導入部１１４が形成されており、合計して８つずつの収容部１１３および導入部１１４が形成されている。
【００２７】
また、本実施形態の支持体１は、図１、図３、図６および図８に示すように、設置部材１８および突起部材１９を有する。設置部材１８は、枠状構造体Ｓのｚ方向他方側に係合することにより、照明装置Ａ１を枠状構造体Ｓに設置するためのものである。本実施形態においては、設置部材１８は、枠状構造体ＳのバーＳｙに係合しているが、バーＳｘに係合する構成であってもよい。
【００２８】
図示された例においては、バーＳｙは、縦板部Ｓｙ１および角筒部Ｓｙ２を有する。縦板部Ｓｙ１は、ｙ方向を長手方向とし、ｚ方向を短手方向とする長矩形状の板状の部位である。角筒部Ｓｙ２は、縦板部Ｓｙ１のｚ方向上端に繋がっており、ｘ方向を長手方向とする角筒状の部位である。
【００２９】
図示された例においては、設置部材１８は、固定板部１８１、屈曲部１８２、縁板部１８３および折返部１８４を有する。固定板部１８１は、第２側板部１３に固定される部位であり、たとえばねじ１８９によって固定されている。屈曲部１８２は、固定板部１８１のｚ方向下端に繋がっており、ｘ方向に延出する部分とｚ方向に延出する部分を含む屈曲形状である。縁板部１８３は、固定板部１８１のｚ方向上端に繋がっており、ｘ方向に延びている。縁板部１８３は、天板部１１に沿っている。折返部１８４は、縁板部１８３のｚ方向下端に繋がっており、ｚ方向上側に折り返された部位である。図示された例においては、設置部材１８の屈曲部１８２が、バーＳｙのｚ方向上側（他方側）の部分である角筒部Ｓｙ２に係合することにより、照明装置Ａ１が枠状構造体Ｓに設置されている。
【００３０】
突起部材１９は、設置部材１８に対してｙ方向に離間した位置において、第２側板部１３に取り付けられている。突起部材１９は、第２側板部１３からｘ方向に突出している。突起部材１９は、枠状構造体ＳのバーＳｙにｚ方向他方側（上側）から接する。すなわち、本実施形態においては、照明装置Ａ１は、設置部材１８の係合と突起部材１９の接触とによって、枠状構造体Ｓに設置されている。
【００３１】
＜ＬＥＤユニットＢ１＞
ＬＥＤユニットＢ１は、支持体１に着脱可能に支持されており、光を発するユニットである。本実施形態においては、照明装置Ａ１は、図１および図２に示すように、２つのＬＥＤユニットＢ１を備えている。２つのＬＥＤユニットＢ１は、各々がｘ方向に長く延びる形状であり、ｙ方向に互いに離間して配置されている。図１２〜図１５に示すように、本実施形態のＬＥＤユニットＢ１は、ケース２、一対のエンドプレート３、リフレクタ４、複数のＬＥＤモジュール５、カバー６および電源部７を有する。また、本実施形態においては、ＬＥＤユニットＢ１は、支持体１の天板部１１、一対の第１側板部１２、一対の第２側板部１３および一対の内側板部１４によって囲まれた空間内に配置されている。
【００３２】
＜ケース２＞
ケース２は、リフレクタ４および複数のＬＥＤモジュール５を収容するものである。本実施形態においては、ケース２は、主板部２１および一対の側板部２２を有する。ケース２の材質は特に限定されず、たとえばＦｅ等からなる金属板を用いて形成される。
【００３３】
主板部２１は、ｘ方向を長手方向とする形状であり、本実施形態においては、ｙ方向を短手方向とする長矩形状である。また、主板部２１は、ＬＥＤユニットＢ１が支持体１に支持された状態で、図７に示すように、天板部１１よりもｚ方向一方側（下側）に位置する。言い換えると、天板部１１は、主板部２１よりもｚ方向他方側（上側）に位置している。
【００３４】
一対の側板部２２は、主板部２１のｙ方向両側に位置しており、ｚ方向における一方側に延出している。図示された例においては、一対の側板部２２は、主板部２１のｙ方向両端に繋がっている。図１０に示すように、一対の側板部２２は、ｚ方向における他方側（上側）に向かうほどｙ方向における互いの距離が大となるように傾斜している。すなわち、ケース２は、ｘ方向視において台形状である。また、開口１１１のｙ方向端部と第１側板部１２のｚ方向一方側（下側）端部を結んだ線を仮想線ＡＬ１とし、開口１１１のｙ方向端部と内側板部１４のｚ方向一方側（下側）端部を結んだ線を仮想線ＡＬ２とした場合、側板部２２のｚ方向他方側（上側）端部が仮想線ＡＬ１および仮想線ＡＬ２と接するか、もしくは交差するようにされている。
【００３５】
＜エンドプレート３＞
一対のエンドプレート３は、ケース２のｘ方向両側を塞いでいる。また、エンドプレート３は、カバー６がｘ方向に移動することを規制するものである。エンドプレート３の材質は特に限定されず、たとえば樹脂によって形成されている。図１９に示すように、本実施形態においては、エンドプレート３は、天側縁部３１、主板部３２、一対の側部３３、地側縁部３４および一対の係合部３５を有する。
【００３６】
天側縁部３１は、ｙ方向を長手方向としｙ方向を短手方向とする長矩形状である。天側縁部３１は、ケース２の主板部２１に沿うように設けられる部位である。主板部３２は、天側縁部３１からｚ方向一方側（下側）に延びている。図示された例においては、主板部３２は、ｚ方向において一方側に向かうほど、ｘ方向外側に位置するように傾斜している。一対の側部３３は、天側縁部３１および主板部３２のｙ方向両端に設けられている。地側縁部３４は、主板部３２のｚ方向一方側（下側）に繋がっており、ｙ方向に長く延びている。一対の係合部３５は、地側縁部３４のｙ方向両端に設けられている。図示された例においては、係合部３５は、図２０に示すように、ｘ方向に互いに離間した一対の板状部位によって構成されている。
【００３７】
図１９に示すように、本実施形態においては、ケース２の側板部２２に縁部２２１および舌部２２２が形成されている。縁部２２１は、側板部２２のｚ方向一方側端に設けられており、たとえば側板部２２のｚ方向一方側端（下端）部分が折り曲げられることにより形成されている。舌部２２２は、縁部２２１のｘ方向両端に設けられており、図１９に示すエンドプレート３が未だケース２に取り付けられていない状態においては、ｘ方向外側に延びる形状の部分である。エンドプレート３がケース２に取り付けられる際には、舌部２２２が、図２０に示すようにｚ方向他方側（上側）に延びるように折り曲げられ、係合部３５に係合する。図示された例においては、舌部２２２が係合部３５に挟まれることにより、互いに係合している。また、図示された例においては、エンドプレート３は、２つのねじ３９によってケース２に取り付けられる。
【００３８】
＜リフレクタ４＞
リフレクタ４は、ケース２内に収容されており、たとえば金属や樹脂等からなる。リフレクタ４の表面は、金属反射面または白色等の明色に塗装された明色反射面とされている。図１０、図１３、図１４および図１５に示すように、リフレクタ４は、主板部４１および一対の側板部４２を有する。
【００３９】
主板部４１は、主板部２１のｚ方向一方側に取り付けられている。主板部４１は、ｘ方向を長手方向とし、ｙ方向を短手方向とする長矩形状である。一対の側板部４２は、主板部４１のｙ方向両端に繋がっており、ｚ方向一方側に延びている。一対の側板部４２は、ｚ方向における一方側に向かうほどｙ方向における互いの距離が大となるように傾斜している。
【００４０】
＜ＬＥＤモジュール５＞
ＬＥＤモジュール５は、ＬＥＤユニットＢ１の光源となるモジュールである。本実施形態においては、ＬＥＤユニットＢ１は、３つのＬＥＤモジュール５を備えているが、ＬＥＤモジュール５の個数は特に限定されない。３つのＬＥＤモジュール５は、各々がｘ方向に長く延びており、ｙ方向に互いに離間してリフレクタ４の主板部４１上に配置されている。本実施形態のＬＥＤモジュール５は、ＬＥＤ基板５１および複数のＬＥＤ５２を有する。また、複数のＬＥＤモジュール５は、リフレクタ４の一対の側板部４２の間に配置されている。
【００４１】
図１４および図１５に示すように、ＬＥＤ基板５１は、ｘ方向に長く延びる帯状の部材であり、たとえばガラスエポキシ樹脂からなる基材に配線パターン（図示略）が形成されたものである。複数のＬＥＤ５２は、ＬＥＤ基板５１上にｘ方向に沿って配列されている。ＬＥＤ５２は、いわゆるベアチップ状態のＬＥＤチップでもよいし、ＬＥＤチップ、リードまたは基板、および透光樹脂を有する組合せ構造であってもよい。ＬＥＤ５２が組合せ構造である場合、ＬＥＤチップから青色光を発し、透光樹脂に含まれた蛍光材料が励起されて黄色光を発することにより、白色を発する構成であってもよい。このようなＬＥＤ５２は、昼光色や電球色等の白色を適宜発光可能である。
【００４２】
＜カバー６＞
カバー６は、複数のＬＥＤモジュール５に対してｚ方向一方側に配置されており、図示された例においては、ケース２の一対の側板部２２に支持されており、一対の側板部２２の縁部２２１にｘ方向にスライドさせることによって取り付けられる。カバー６は、たとえば樹脂等のＬＥＤ５２からの光を透過する材質からなる。カバー６は、透明であってもよいし、たとえば乳白色の半透明の樹脂等からなることにより、ＬＥＤ５２からの光を拡散させつつ透過させるものであってもよい。なお、図１４においては、理解の便宜上、カバー６を省略している。
【００４３】
＜電源部７＞
電源部７は、たとえば商用の１００Ｖ交流電源から供給された交流電力をＬＥＤ５２の点灯に適した直流電力に変換して、ＬＥＤ５２に供給するものである。図７，図１０および図１２に示すように、電源部７は、ケース２の主板部２１に対してｚ方向他方側（上側）に取り付けられている。また、図３および図１０に示すように、本実施形態においては、電源部７は、ｚ方向視において開口１１１に内包されている。
【００４４】
図７、図１０および図１２に示すように、本実施形態の電源部７は、電源ケース７１、電源基板７２および複数の電源部品７３を有する。電源ケース７１は、電源基板７２および複数の電源部品７３を収容するものであり、図示された例においては、ｘ方向に長く延びる直方体形状である。電源基板７２は、たとえばガラスエポキシ樹脂からなる基材と、当該基材に形成された配線パターンを有する配線基板である。電源基板７２は、ｘ方向に長く延びる長矩形状であり、電源ケース７１内において、ｚ方向他方側に配置されている。複数の電源部品７３は、電源部７の電力変換機能を実現するための回路を構成する電子部品であり、たとえば、トランス、コンデンサ、ダイオードおよび抵抗器等を適宜含む。
【００４５】
＜取付部材８１＞
取付部材８１は、ＬＥＤユニットＢ１を支持体１の第２側板部１３に取り付けるためのものである。図１１〜図１３および図１５に示すように、本実施形態においては、ＬＥＤユニットＢ１は、２つの取付部材８１を有する。２つの取付部材８１は、主板部２１のｘ方向両端部分に設けられている。図１６〜図１８に示すように、図示された例においては、取付部材８１は、固定板部８１１、起立部８１２、延出部８１３、取付板部８１４および２つの係止部８１５を有する。取付部材８１の材質は特に限定されず、たとえば金属板を用いて形成される。
【００４６】
固定板部８１１は、主板部２１に取り付けられる部位であり、主板部２１に沿った形状の板状部位である。起立部８１２は、固定板部８１１のｘ方向外側端からｚ方向他方側に起立した板状部位である。延出部８１３は、起立部８１２のｚ方向他方側端（上端）からｘ方向外側に延出する板状部位である。取付板部８１４は、延出部８１３のｘ方向外側端からｚ方向他方側に延びる板状部位であり、たとえばねじ８９によって支持体１の第２側板部１３に固定されている。２つの係止部８１５は、取付板部８１４のｚ方向他方側端（上端）からｘ方向内側に延出している。２つの係止部８１５は、支持体１の２つ収容部１１３に収容されることにより、支持体１と係合する。なお、本実施形態においては、取付部材８１を図１７におけるｙ方向図中右方から図中左方へと移動させることにより、係止部８１５を収容部１１３に進入させる。そして、係止部８１５を収容部１１３に収容させた後に、ねじ８９によって取付板部８１４を第２側板部１３に固定する。これにより、取付部材８１が第２側板部１３および天板部１１に取り付けられ、ＬＥＤユニットＢ１が支持体１に取り付けられる。
【００４７】
＜ＬＥＤ支持具８２＞
ＬＥＤ支持具８２は、ＬＥＤモジュール５をリフレクタ４およびケース２によって支持するためのものである。図１０、図１４および図１５に示すように、本実施形態においては、１つのＬＥＤモジュール５に対して３つのＬＥＤ支持具８２が設けられている。ＬＥＤ支持具８２は、主板部２１のｚ方向他方側（上側）から、主板部２１および主板部４１に設けられた開口部を通じてＬＥＤモジュール５をｙ方向両側から挟持することにより、ＬＥＤモジュール５を支持している。ＬＥＤ支持具８２の材質は特に限定されず、たとえば樹脂からなる。
【００４８】
＜コネクタ８３＞
照明装置Ａ１は、コネクタ８３を有する。コネクタ８３は、装置外のたとえば商用の１００Ｖ交流電源を接続するためのものである。本実施形態においては、コネクタ８３は、支持体１の一方の第２側板部１３を貫通してｘ方向に突出するように設けられている。また、図示された例においては、２つのコネクタ８３が設けられている。コネクタ８３は、図示しないケーブルを介して、ＬＥＤユニットＢ１の電源部７に接続される。
【００４９】
次に、照明装置Ａ１の作用について説明する。
【００５０】
本実施形態によれば、図９および図１０に示すように、一対の側板部２２は、ｚ方向における他方側（上側）に向かうほどｙ方向における互いの距離が大となるように傾斜している。このため、ケース２は、ｘ方向視において台形状であり、ｙ方向寸法がｚ方向における他方側ほど大きい。これにより、照明装置Ａ１をｚ方向一方側（下方側）から見た場合に、開口１１１がケース２に隠れやすい構成である。したがって、開口１１１を大きくした場合に、開口１１１が視認されることを抑制することが可能であり、換気効率を向上させつつ照明装置Ａ１の美観を維持することができる。特に、図１０に示す仮想線ＡＬ１および仮想線ＡＬ２が、側板部２２のｚ方向他方側（上側）端部と接するか、もしくは交差する構成であれば、照明装置Ａ１のｚ方向一方側（下側）からは、開口１１１が視認されることがなく、美観の維持に好ましい。
【００５１】
また、図３および図１０に示すように、ＬＥＤユニットＢ１の電源部７は、ｚ方向視において開口１１１に内包されている。電源部７は、電力変換機能を果たすものであり、発熱しうる。本実施形態によれば、電源部７からの熱を開口１１１から外部へと逃がすことが可能であり、電源部７の放熱を促進することができる。また、電源部７は、ｚ方向視において開口１１１を塞ぐ構成とはなっていない。このため、ＬＥＤ５２の点灯によってＬＥＤモジュール５から生じた熱を、電源部７の側方を経由して開口１１１を通じて外部へと逃がすことが可能である。したがって、ＬＥＤモジュール５の放熱を促進することができる。
【００５２】
図７および図１６に示すように、ＬＥＤユニットＢ１は、取付部材８１が第２側板部１３に固定されることにより、支持体１に取り付けられている。このため、天板部１１に取付部材８１を固定するための大きな領域を設ける必要がない。したがって、開口１１１の面積を大きくすることが可能であり、換気効率を向上させるのに好ましい。また、本実施形態においては、取付部材８１は、係止部８１５によって天板部１１に係合する。しかしながら、係止部８１５の係合は、取付部材８１の取り付けを補助する機能であり、過大なスペースを必要とするものではない。したがって、換気効率の向上を図ることができる。
【００５３】
図１６および図１７に示すように、係止部８１５をｙ方向にスライドすることにより収容部１１３に進入させると、係止部８１５は、収容部１１３に収容され、互いに係合する。このような構成は、ＬＥＤユニットＢ１の支持体１への取り付けを容易且つ確実に行うのに好ましい。
【００５４】
図１０、図１４および図１５に示すように、リフレクタ４の一対の側板部４２は、ｚ方向における一方側に向かうほどｙ方向における互いの距離が大となるように傾斜している。このため、ＬＥＤモジュール５からｙ方向両側に進行した光を一対の側板部４２によって反射することにより、ｚ方向一方側へと進行させることが可能である。これは、ＬＥＤユニットＢ１の光量増大に好ましい。
【００５５】
図１、図３、図６および図８に示すように、設置部材１８は、枠状構造体Ｓのｚ方向他方側に係合する。また、突起部材１９は、設置部材１８に対してｙ方向に離間した位置において枠状構造体ＳのバーＳｙにｚ方向他方側（上側）から接する。これにより、照明装置Ａ１をバーＳｙに沿って水平な姿勢でより確実に設置することができる。
【００５６】
図１９および図２０に示すように、ＬＥＤユニットＢ１の組み立てにおいては、カバー６をスライドさせてケース２の側板部２２の縁部２２１に挿入した後に、舌部２２２を折り曲げてエンドプレート３の係合部３５に係合させる。これにより、カバー６が側板部２２から抜け落ちることを防止することができる。また、エンドプレート３は、ｚ方向他方側（上側）において天側縁部３１が主板部２１にねじ３９によって固定される。このため、ねじ３９は、ｚ方向一方側（下側）に位置する使用者からほとんど見えない位置にあり、照明装置Ａ１の外観を良好に保つことができる。
【００５７】
本発明に係る照明装置は、上述した実施形態に限定されるものではない。本発明に係る照明装置の各部の具体的な構成は、種々に設計変更自在である。
【符号の説明】
【００５８】
Ａ１    ：照明装置
Ｂ１    ：ＬＥＤユニット
１      ：支持体
２      ：ケース
３      ：エンドプレート
４      ：リフレクタ
５      ：ＬＥＤモジュール
６      ：カバー
７      ：電源部
１１    ：天板部
１２    ：第１側板部
１３    ：第２側板部
１４    ：内側板部
１８    ：設置部材
１９    ：突起部材
２１    ：主板部
２２    ：側板部
３１    ：天側縁部
３２    ：主板部
３３    ：側部
３４    ：地側縁部
３５    ：係合部
３９    ：ねじ
４１    ：主板部
４２    ：側板部
５１    ：ＬＥＤ基板
５２    ：ＬＥＤ
７１    ：電源ケース
７２    ：電源基板
７３    ：電源部品
８１    ：取付部材
８２    ：ＬＥＤ支持具
８３    ：コネクタ
８９    ：ねじ
１１１  ：開口
１１２  ：中間開口
１１３  ：収容部
１１４  ：導入部
１８１  ：固定板部
１８２  ：屈曲部
１８３  ：縁板部
１８４  ：折返部
２２１  ：縁部
２２２  ：舌部
８１１  ：固定板部
８１２  ：起立部
８１３  ：延出部
８１４  ：取付板部
８１５  ：係止部
Ｓ      ：枠状構造体
ＡＬ１，ＡＬ２：仮想線
Ｓｘ，Ｓｙ：バー
Ｓｙ１  ：縦板部
Ｓｙ２  ：角筒部
【図１】
2020047538.tif 000003
【図２】
2020047538.tif 000004
【図３】
2020047538.tif 000005
【図４】
2020047538.tif 000006
【図５】
2020047538.tif 000007
【図６】
2020047538.tif 000008
【図７】
2020047538.tif 000009
【図８】
2020047538.tif 000010
【図９】
2020047538.tif 000011
【図１０】
2020047538.tif 000012
【図１１】
2020047538.tif 000013
【図１２】
2020047538.tif 000014
【図１３】
2020047538.tif 000015
【図１４】
2020047538.tif 000016
【図１５】
2020047538.tif 000017
【図１６】
2020047538.tif 000018
【図１７】
2020047538.tif 000019
【図１８】
2020047538.tif 000020
【図１９】
2020047538.tif 000021
【図２０】
2020047538.tif 000022